(57)【要約】ポンプまたはコンプレッサは、回転シャフトと、回転シャフトに対して実質的に垂直であり、その両端に第１のピストン対を接続する少なくとも第１のピストンロッドと、を備える。ピストンロッドは、回転シャフトに対して前後に動く。コンプレッサは、円形偏心体と、該円形偏心体にベアリングを介して接続された円形リングと、をさらに含む。駆動ピンは、円形リング上の固定位置で該円形リングと係合し、かつ少なくとも第１のピストンロッドと係合している。シャフトの回転運動が、第１のピストンロッドおよび第１のピストン対、または円形偏心体のいずれかを回転させると、駆動ピンおよび第１のピストンロッドが回転シャフトに対して前後に動く。【選択図】図１
2020504261.tif 000002
【特許請求の範囲】
【請求項１】
コンプレッサであって、
回転シャフトと、
前記回転シャフトに対して実質的に垂直である少なくとも第１のピストンロッドであって、当該ピストンロッドの両端で第１のピストン対を接続し、前記回転シャフトに対して前後に動く少なくとも第１のピストンロッドと、
円形偏心体と、
前記円形偏心体にベアリングを介して接続された円形リングと、
前記円形リング上の固定位置で当該円形リングと係合し、かつ前記少なくとも第１のピストンロッドと係合する駆動ピンであって、前記シャフトの回転運動が前記第１のピストンロッドおよび第１のピストン対、または前記円形偏心体のいずれかを回転させると、前記駆動ピンおよび前記第１のピストンロッドが前記回転シャフトに対して前後に動くようになっている駆動ピンと、を備える、コンプレッサ。
【請求項２】
前記少なくとも第１のピストンロッドは、前記回転シャフトが貫通する開口を画定している、請求項１に記載のコンプレッサ。
【請求項３】
前記回転シャフトは、前記円形偏心体に接続されて当該偏心体に回転運動を加える、請求項１に記載のコンプレッサ。
【請求項４】
前記回転シャフトは、前記少なくとも第１のピストンロッドに回転運動を加える、請求項１に記載のコンプレッサ。
【請求項５】
前記少なくとも第１のピストンロッドが一体型である、請求項１に記載のコンプレッサ。
【請求項６】
前記少なくとも第１のピストンロッドが一体型である、請求項２に記載のコンプレッサ。
【請求項７】
前記少なくとも第１のピストンロッドは、第１のピストン対によってのみ支持されている、請求項１に記載のコンプレッサ。
【請求項８】
前記少なくとも第１のピストンロッドは、前記第１のピストン対によってのみ支持されている、請求項１に記載のコンプレッサ。
【請求項９】
前記少なくとも第１のピストンロッドは、前記第１のピストン対によってのみ支持されている、請求項６に記載のコンプレッサ。
【請求項１０】
前記少なくとも第１のピストンロッドは、前記第１のピストン対によってのみ支持されている、請求項７に記載のコンプレッサ。
【請求項１１】
コンプレッサであって：
回転シャフトと、
前記回転シャフトに対して実質的に垂直である一方向に前記コンプレッサを通って延びる第１のピストンロッドであって、当該第１のピストンロッドの両端で第１のピストン対を接続し、前記回転シャフトに対して前後に動く第１のピストンロッドと、
前記回転シャフトに対して実質的に垂直である別の方向に前記コンプレッサを通って延びる第２のピストンロッドであって、当該第２のピストンロッドの両端で第２のピストン対を接続し、前記回転シャフトに対して前後に動く第２のピストンロッドと、
円形偏心体と、
前記円形偏心体にベアリングを介して接続された円形リングと、
前記円形リングと第１の固定位置で係合し、かつ前記第１のピストンロッドと係合する第１の駆動ピンと、
前記円形リングと第２の固定位置で係合し、かつ前記第２のピストンロッドと係合する第２の駆動ピンと、を備え、
前記シャフトの回転運動が前記ピストンロッドおよびピストン、または前記円形偏心体のいずれかを回転させると、前記駆動ピンおよび前記ピストンロッドが前記回転シャフトに対して前後に動くようになっている、コンプレッサ。
【請求項１２】
前記第２のピストンロッドが前記第１のピストンロッドに隣接して配置されている、請求項１１に記載のコンプレッサ。
【請求項１３】
前記ピストンロッドは、前記回転シャフトが貫通するそれぞれの開口を画定している、請求項１１に記載のコンプレッサ。
【請求項１４】
前記回転シャフトは、前記円形偏心体に接続されて当該円形偏心体に回転運動を加える、請求項１１に記載のコンプレッサ。
【請求項１５】
前記回転シャフトは、前記ピストンロッドに回転運動を加える、請求項１１に記載のコンプレッサ。
【請求項１６】
前記ピストンロッドがそれぞれ一体型である、請求項１１に記載のコンプレッサ。
【請求項１７】
前記ピストンロッドがそれぞれ一体型である、請求項１３に記載のコンプレッサ。
【請求項１８】
前記ピストンロッドの各々は、それが接続されているピストン対によってのみ支持されている、請求項１１に記載のコンプレッサ。
【発明の詳細な説明】
【技術分野】
【０００１】
本発明は、特には、携帯用酸素濃縮器などに用いられる小型の医療用エアコンプレッサの分野に関する。
【背景技術】
【０００２】
本発明の実施形態は、２０１３年７月１８日に国際公開第２０１３／１０６８１０（Ａ１）として公開された国際出願ＰＣＴ／ＵＳ２０１３／０２１３９４号、および２０１４年１２月１９日に米国特許出願公開第２０１４／０３６９８７３（Ａ１）号として公開された米国特許出願第１４／３７０７０７号に開示されているポンプまたはコンプレッサの代替物であり、その全開示内容は、参照により本明細書に組み込まれる。そのポンプまたはコンプレッサでは、エンドプレートに偏心溝を含む機構によって、シャフトの回転運動がピストンロッドの往復運動に変換される。
【０００３】
流体（空気および気体全般を含む）移動のためのポンプまたはコンプレッサは、例として、医療、自動車および飲料業界で知られている。本発明の実施形態は、携帯用酸素濃縮器などに用いられる小型の医療用エアコンプレッサを特に対象としており、それらに有用である。
【０００４】
ピストンポンプは周知であり、国際公開第２０１３／１０６８１０（Ａ１）号および米国特許出願公開第２０１３／１０６８１０（Ａ１）号に「先行技術」として開示されているように、従来、コネクティングロッドを介して往復ピストンに取り付けられた同心円を有する回転シャフトを含む。
【発明の概要】
【０００５】
一態様では、コンプレッサが提供される。コンプレッサは、回転シャフトと、該回転シャフトに対して実質的に垂直であり、その両端に第１のピストン対を接続する少なくとも第１のピストンロッドと、を備える。ピストンロッドは、回転シャフトに対して前後に動く。コンプレッサは、円形偏心体と、該円形偏心体にベアリングを介して接続された円形リングと、をさらに含む。駆動ピンは、円形リング上の固定位置で該円形リングと係合し、かつ少なくとも第１のピストンロッドと係合している。シャフトの回転運動が、第１のピストンロッドおよび第１のピストン対、または円形偏心体のいずれかを回転させると、駆動ピンおよび第１のピストンロッドが回転シャフトに対して前後に動く。
【０００６】
別の態様では、コンプレッサが提供される。コンプレッサは、回転シャフトと、該回転シャフトに対して実質的に垂直である一方向にコンプレッサを通って延び、その両端で第１のピストン対を接続する第１のピストンロッドと、回転シャフトに対して実質的に垂直である別の方向にコンプレッサを通って延び、その両端で第２のピストン対を接続する第２のピストンロッドと、を含む。ピストンロッドは、回転シャフトに対して前後に動く。コンプレッサは、円形偏心体と、該円形偏心体にベアリングを介して接続された円形リングと、をさらに含む。第１の駆動ピンは、第１の固定位置で円形リングと係合し、かつ第１のピストンロッドと係合し、第２の駆動ピンは、第２の固定位置で円形リングと係合し、かつ第２のピストンロッドと係合している。シャフトの回転運動がピストンロッドおよびピストンまたは円形偏心体のいずれかを回転させると、駆動ピンおよびピストンロッドは、回転シャフトに対して前後に動く。
【図面の簡単な説明】
【０００７】
【図１】本発明を具体化した第１のポンプまたはコンプレッサの正面断面図である。
【図２】図１の２−２線に沿った部分上面図である。
【図３】図１と同じ向きにおける、図１のコンプレッサの正面図である。
【図４】図１と同じ向きにおける、本発明を具体化した第２のポンプまたはコンプレッサの正面断面図である。
【図５】図１と同じ向きにおける、本発明を具体化した第３のポンプまたはコンプレッサの正面断面図である。
【図６】図５の６−６線に沿った断面図である。
【図７】図５の７−７線に沿った断面図である。
【図８】本発明を具体化した第４のポンプまたはコンプレッサの正面断面図である。
【図９】本発明を具体化した第５のポンプまたはコンプレッサの分解図である。
【図１０】２つのピストン対を使用する、本発明を具体化した第６のポンプまたはコンプレッサの分解図である。
【図１１】図１０のポンプまたはコンプレッサの組み立てられた状態の立面全体図であり、内部のピストンロッドを示すように、偏心端部片（図１１の向きにおける上端部片）が省略されている図である。
【図１２】図１０の第６のポンプまたはコンプレッサの概略上面図であるが、同様に内部のピストンロッドを示すように、偏心端部片（図１２の向きにおける上端部片）が省略されている図である。
【図１３】図１０の第６のポンプまたはコンプレッサの側面断面図であり、概して図１２の１３−１３線に沿っているが、偏心端部片が含まれている図である。
【図１４】図１０の第６のポンプまたはコンプレッサの別の側面断面図であり、図１２の１４−１４線に沿っているが、同様に偏心端部片が含まれている図である。
【発明を実施するための形態】
【０００８】
概説すると、本発明の実施形態は、様々な産業環境用のコンプレッサ、特には小型の医療用エアコンプレッサを提供する。本発明の実施形態による利益は、複数のピストンを共通のシャフトで駆動させることができることによる高効率性である。本発明の実施形態は、部品の重複を最小限に抑えることができ、従来のコンプレッサと比較してより軽量なアセンブリを提供することができる。
【０００９】
したがって、本発明を具体化する、一般にポンプ、また特にコンプレッサは、流体を移動または圧縮するのに有用である。本明細書において、「流体」という用語は、その最も広い意味で使用され、気体であれ液体であれ、空気および特定のガスを含む、流動し圧力を受けるあらゆる物質を包含する。その点で、コンプレッサは、流体コンプレッサ、酸素コンプレッサ、またはエアコンプレッサと称され得る。圧縮されている媒体の性質は構造を変化させない。
【００１０】
まず、図１〜３を参照すると、本発明を具体化した第１のポンプまたはコンプレッサ２０が、表現として幾分概略的に示されている。ポンプまたはコンプレッサ２０は、概して２２で示される本体を有し、ピストン２６および２８からなる１つのピストン対２４を含み、ピストンの断面は、好ましくは長方形であるが円形であってもよい。ピストン２６および２８は、ピストンロッド３０の両端に取り付けられている。ピストン２６および２８は、それぞれの代表的なピストンヘッド３２および３４を有し、これらはシール３２および３４と呼ばれる場合もある。ピストンヘッド３２および３４は、シーリングおよびセンタリングを提供し、図示の実施形態では、テフロン（登録商標）またはルーロン（登録商標）などのポリテトラフルオロエチレン（ＰＴＦＥ）プラスチック材料で作られている。一例として、ピストンヘッド３２および３４は、機械ねじ３６および３８によって固定されている。図示の構造は代表的なものにすぎず、様々な形態のシールおよびシール取付け具を使用できることが理解されよう。例えば、平丸ワッシャ（図示せず）およびねじを使用することができる。重要なことは、シールがピストン２６および２８を半径方向に越えて延びていることである。
【００１１】
ピストンロッド３０は、一体型である。換言すれば、ピストンロッド３０は、ピストン２６とピストン２８との間でその長さに沿って連続する単体の部品である。さらに、ピストンロッド３０は、ピストン２６および２８による（より具体的には、ピストンヘッドまたはシール３２および３４による）もの以外に、ベアリングまたは他の支持体を有していない。
【００１２】
ピストン２６および２８は、それぞれ個別のピストンチャンバ４０および４２内で往復運動する。ピストンチャンバ４０および４２は、必ずしも横断面が円形ではなく、したがって必ずしも円筒形ではないが、従来の用語によれば、シリンダ４０および４２と呼ばれる。（したがって、本明細書では「シリンダ」という用語を使用するが、ピストンチャンバ４０および４２は、横断面が長方形であってもよい。）ピストンチャンバ４０および４２は、ピストン２６および２８が往復運動するための適切な空間を提供するように寸法設定されている。ピストン２６および２８に関連するシールは、ピストンチャンバ４０および４２を基準にして、ピストンロッド３０とピストン２６および２８とのセンタリングを維持する。したがって、「ぐらつき」はなく、よってピストンストロークに特別な制限はない。
【００１３】
ピストンチャンバ４０は、本体２２内に入口ポート４４および出口ポート４６を有し、それぞれの逆止弁４８および５０がこれらのポート４４および４６に関連している。同様に、ピストンチャンバ４２は、本体２２内に入口ポート５２および出口ポート５４を有し、それぞれの逆止弁５６および５８がこれらのポート５２および５４に関連している。外部的に、２つの入口ポート４４および５２は、「Ｙ」接合部（図示せず）で互いに接続されていてもいなくてもよく、また、２つの出口ポート４６および５４は、「Ｙ」接合部（図示せず）で互いに接続されていてもいなくてもよい。作動中に、ピストン２６および２８が往復運動するとき、ポンプまたはコンプレッサ２０の２つの入口ポート４４および５２からピストンチャンバ４０および４２を通って２つの出口ポート４６および５４への流体の流れは、本質的に連続的であり、最小限の脈動を有する。
【００１４】
コンプレッサ２０は、図１０〜１４を参照して以下に説明するように、ピストン２６および２８からなる１つのピストン対２４と、１つのピストンロッド３０と、を含むが、本発明を具体化するコンプレッサは、複数のピストン対および対応する複数のピストンロッドを有していてもよい。したがって、ピストンロッド３０は、第１のピストンロッド３０とも称される。
【００１５】
図１〜３のポンプまたはコンプレッサ２０において、ピストンチャンバ４０および４２は静止している。ピストンロッド３０、ピストン２６および２８、ならびにピストンチャンバ４０および４２は回転しない。ピストンロッド３０、ならびにピストン２６および２８は往復運動する。
【００１６】
ポンプまたはコンプレッサ２０に使用される材料には、自己進入して浮遊し、ピストン２４および２６の整列を維持する、テフロン（登録商標）またはルーロン（登録商標）ＰＴＦＥプラスチック製のピストンヘッドまたはシール３２および３４や、他の滑りやすい低摩擦のピストンシールが含まれ得る。シールはどちらの方向に向いていてもよい。コンプレッサ２０の本体２２、ピストンロッド３０、ピストン２６および２８、ならびにピストンチャンバ４０および４２は、低炭素鋼、アルミニウム、さらにはポリマー材料などの、耐久性のある材料で作られていてもよい。使用中の構成部品の熱膨張を最小限に抑えるか、あるいは少なくとも抑制するための適切な材料が、コンプレッサおよび関連するシールの両方に対して選択される。
【００１７】
従動回転シャフト６６は、従来の方法で、回転エネルギーを供給するための動力源に接続されている。図１および図３の向きにおいて、従動回転シャフト６６は、コンプレッサ２０を垂直方向に通って延びている。典型的には、モータ（図示せず）が回転シャフト６６を駆動する。
【００１８】
回転シャフト６６は、回転シャフト６６に対して中心を外れている円形偏心体７０に接続されてそれを駆動する。換言すれば、偏心体７０の中心は、回転シャフトの軸線上にはない。（具体的には図示していないが、振動を最小にするために、偏心体７０は、その質量が回転シャフト６６を基準にしてバランスが取られるように重みづけされていてもよい。）「偏心」または「中心を外れている」という用語は、単に、偏心体７０の中心が回転シャフト６６の軸線上にないことを意味する。
【００１９】
接続および駆動は、様々な方法で達成することができる。図示の実施形態では、シャフト６６はキー止めされており、したがってスロット７２を含んでいる。対応するスロット７４が円形偏心体７０に設けられており、キー７６がスロット７２および７４に挿入されている。したがって、偏心体７０は、回転自在にシャフト６６に固定されている。
【００２０】
外側円形リング８２は、ベアリング８４を介して円形偏心体７０を取り囲み、これに接続されている。したがって、特定の実施形態に応じて、外側円形リング８２は回転しないが、偏心体７０は回転することができ、またその逆も同様である。図示の実施形態において、ベアリング８４は、ニードルローラベアリング８４である。ボールベアリングも同様に使用することができる。
【００２１】
駆動ピン８６は、外側円形リング８２上の固定位置で該円形リング８２と係合し、また、ピストンロッド３０とも係合している。ある程度の相対回転があるので、駆動ピン８６の一端にベアリングがある。図示の実施形態において、ベアリング８７は、駆動ピン８６がピストンロッド３０と係合する位置に設けられている。代替的に、ベアリングは、駆動ピン８６が外側円形リング８２と係合する位置に設けられていてもよい。ピストンロッド３０は、スロット開口８８を有し、そこを通って回転シャフト６６が延びている。
【００２２】
その結果、シャフト６６の回転運動が円形偏心体７０を回転させると、駆動ピン８６およびピストンロッド３０が回転シャフト６６に対して前後に動く。換言すれば、コンプレッサ２０は、ピストンロッド３０の横方向の滑り運動に適応している。ピストン２６および２８は、回転シャフト６６に対して交互に接近および離間する。従動シャフト６６の回転運動は、ピストンロッド３０ならびにピストン２６および２８の、ピストンチャンバ４０および４２に対する往復運動に変換される。
【００２３】
内側の円形矢印９０は、シャフト６６の回転を表し、外側の円形矢印９２は、シャフト６６によって駆動される偏心体７０の回転を表している。逆止弁が採用されているため、回転方向は関係ない。したがって、円形矢印９０および９２の各々は、１つの矢頭を有する。ポンプまたはコンプレッサ２０は、いずれの回転方向にも同じように作動する。「入力」および「出力」は、入口逆止弁４８および５６によって、ならびに出口逆止弁５０および５８によって決定される。
【００２４】
上述したように、図１〜３のコンプレッサ２０の実施形態では、ピストンチャンバ４０および４２は静止している。ピストンロッド３０、ならびにピストン２６および２８からなる１つのピストン対２４は、ピストンチャンバ４０および４２に対して往復運動するが、それ以外は動かない。加えて、偏心体７０が回転する。
【００２５】
つぎに、図４を参照すると、本発明を具体化した第２のポンプまたはコンプレッサ１２０が、表現として幾分概略的に示されている。図４の第２のポンプまたはコンプレッサ１２０は、図１〜３の第１のポンプまたはコンプレッサ２０と同様であるが、偏心体の位置と、関連する駆動ピンと、が異なっている。また、逆止弁はフラッパー弁として示されている。
【００２６】
より具体的には、ポンプまたはコンプレッサ１２０は、全体として１２２で示される本体を有し、ピストン１２６および１２８からなる１つのピストン対１２４を含み、ピストンの断面は、好ましくは長方形であるが円形であってもよい。ピストン１２６および１２８は、ピストンロッド１３０の両端に取り付けられている。ピストン１２６および１２８は、それぞれの代表的なピストンヘッドまたはシール１３２および１３４を有する。ピストンヘッドまたはシール１３２および１３４は、シーリングおよびセンタリングを提供し、図示の実施形態では、テフロン（登録商標）またはルーロン（登録商標）などのポリテトラフルオロエチレン（ＰＴＦＥ）プラスチック材料で作られている。ピストンヘッド１３２および１３４は、機械ねじ１３６および１３８によって固定されている。ここでも同様に、図示の構造は代表的なものにすぎず、様々な形態のシールおよびシール取付け具を使用できることが理解されよう。重要なことは、シールがピストン１２６および１２８を半径方向に越えて延びていることである。
【００２７】
ピストンロッド１３０もまた一体型である。換言すれば、ピストンロッド１３０は、ピストン１２６とピストン１２８との間でその長さに沿って連続している。さらに、ピストンロッド１３０は、ピストン１２６および１２８による（より具体的には、ピストンヘッドまたはシール１３２および１３４による）もの以外に、ベアリングまたは他の支持体を有していない。しかしならが、図４の実施形態では、ピストンロッド１３０は、２つの部分１３０ａおよび１３０ｂに分割されている。図４の配置では、これらは、上側ピストンロッド部分１３０ａと下側ピストンロッド部分１３０ｂである。ピストンロッド部分１３０ａおよび１３０ｂは、単一の部品とすることができ、あるいはねじ接続によってピストンヘッド１３２および１３４に取り付けられた２つの部品とすることができる。
【００２８】
ピストン１２６および１２８は、それぞれ個別のピストンチャンバ１４０および１４２内で往復運動する。ピストンチャンバ１４０および１４２は、ピストン１２６および１２８が往復運動するための適切な空間を提供するように寸法設定されている。
【００２９】
ピストンチャンバ１４０は、入口ポートチャンバ１４５と連通する入口ポート１４４と、出口ポートチャンバ１４７と連通する出口ポート１４６と、を有する。フラッパー弁１４８および１５０の形態であるそれぞれの逆止弁１４８および１５０は、ピストンチャンバ１４０と２つのポートチャンバ１４５および１４７との間のガス流を制御する。
【００３０】
同様に、ピストンチャンバ１４２は、入口ポートチャンバ１５３と連通する入口ポート１５２と、出口ポートチャンバ１５５と連通する出口ポート１５４と、を有する。フラッパー弁１５６および１５８の形態であるそれぞれの逆止弁１５６および１５８は、ピストンチャンバ１４２と２つのポートチャンバ１５３および１５５との間のガス流を制御する。
【００３１】
外部的に、２つの入口ポート１４４および１５２は、「Ｙ」接合部（図示せず）で互いに接続されていてもいなくてもよく、また、２つの出口ポート１４６および１５４は、「Ｙ」接合部（図示せず）で互いに接続されていてもいなくてもよい。作動中、ピストン１２６および１２８が往復運動するとき、ポンプまたはコンプレッサ１２０の２つの入口ポート１４４および１５２からピストンチャンバ１４０および１４２を通って２つの出口ポート１４６および１５４への流体の流れは、本質的に連続的であり、最小限の脈動を有する。
【００３２】
従動回転シャフト１６６は、従来の方法で、回転エネルギーを供給するための動力源に接続されている。図４の向きにおいて、従動回転シャフト１６６は、コンプレッサ１２０を垂直方向に通って延びている。典型的には、モータ（図示せず）が回転シャフト１６６を駆動する。
【００３３】
回転シャフト１６６は、回転シャフト１６６に対して中心を外れている円形偏心体１７０に接続されてそれを駆動する。換言すれば、偏心体１７０の中心は、回転シャフトの軸線上にはない。（具体的には図示していないが、振動を最小にするために、偏心体１７０は、その質量が回転シャフト１６６を基準にしてバランスが取られるように重みづけされていてもよい。）
【００３４】
図４の実施形態において、円形偏心体１７０は、ピストンロッド１３０の２つの部分１３０ａと１３０ｂとの間にある。
【００３５】
接続および駆動は、様々な方法で達成することができる。図示の実施形態では、シャフト１６６はキー止めされており、したがってスロット１７２を含んでいる。対応するスロット１７４が円形偏心体１７０に設けられており、キー１７６がスロット１７２および１７４に挿入されている。したがって、偏心体１７０は、回転自在にシャフト１６６に固定されている。
【００３６】
外側円形リング１８２は、ベアリング１８４を介して円形偏心体１７０を取り囲み、これに接続されている。したがって、外側円形リング１８２は回転しないが、偏心体１７０は回転することができる。図示の実施形態において、ベアリング１８４もまたニードルローラベアリング１８４である。ボールベアリングも同様に使用することができる。
【００３７】
駆動ピン１８６は、外側円形リング１８２上の固定位置で該円形リング１８２と係合し、また、ピストンロッド部分１３０ａおよび１３０ｂ内のベアリング１８７を介して該ピストンロッド１３０の両方の部分１３０ａおよびｂ１３０ｂと係合している。ピストンロッド部分１３０ａおよび１３０ｂは、それぞれのスロット開口１８８ａおよび１８８ｂを有し、そこを通って回転シャフト１６６が延びている。
【００３８】
その結果、シャフト１６６の回転運動が円形偏心体１７０を回転させると、駆動ピン１８６およびピストンロッド１３０が回転シャフト１６６に対して前後に動く。従動シャフト１６６の回転運動は、ピストンロッド１３０の２つの部分１３０ａおよび１３０ｂならびにピストン２６および２８の、ピストンチャンバ１４０および１４２に対する往復運動に変換される。
【００３９】
内側の円形矢印１９０は、シャフト１６６の回転を表し、外側の円形矢印１９２は、シャフト１６６によって駆動される偏心体１７０の回転を表している。逆止弁が採用されているため、回転方向は関係ない。
【００４０】
やはり、図４のコンプレッサ１２０の実施形態でも、ピストンチャンバ１４０および１４２は静止している。ピストンロッド１３０の２つの部分１３０ａおよび１３０ｂ、ならびにピストン１２６および１２８からなる１つのピストン対１２４は、ピストンチャンバ１４０および１４２に対して往復運動するが、それ以外は動かない。加えて、偏心体１７０が回転する。
【００４１】
しかしながら、図５〜７の実施形態では、後述するように、円形偏心体は静止したままであるが、ピストンチャンバ、ピストン、およびピストンロッドがすべて回転する。ピストンは、ピストンチャンバに対して、該ピストンチャンバ内で往復運動する。
【００４２】
具体的には、図５〜７を参照すると、本発明を具体化した第３のポンプまたはコンプレッサ２２０が、表現として幾分概略的に示されている。図１〜３を参照して上述した第１のポンプまたはコンプレッサ２０、および図４を参照して上述した第２のポンプまたはコンプレッサ１２０のように、図５〜７の第３のポンプまたはコンプレッサ２２０は、概して２２２で示される本体を有し、ピストン２２６および２２８からなる１つのピストン対２２４を含む。ピストン２２６および２２８は、ピストンロッド２３０の両端に取り付けられている。ピストン２２６および２２８は、それぞれのピストンヘッドまたはシール２３２および２３４を有する。ピストンヘッド２３２および２３４は、シーリングおよびセンタリングを提供し、図示の実施形態では、テフロン（登録商標）またはルーロン（登録商標）などのＰＴＦＥプラスチックで作られている。図示の実施形態において、ピストンヘッド２３２および２３４は、機械ねじ２３６および２３８によって固定されている。他の形態の取付け具を使用することができ、例えば、平丸ワッシャ（図示せず）およびねじを使用することができる。
【００４３】
ピストンロッド２３０もまた一体型である。換言すれば、ピストンロッド２３０は、ピストン２２６とピストン２２８との間でその長さに沿って連続する単体の部品である。さらに、ピストンロッド２３０は、ピストン２２６および２２８による（より具体的には、ピストンヘッド２３２および２３４による）もの以外に、ベアリングまたは他の支持体を有していない。
【００４４】
ピストン２２６および２２８は、それぞれ個別のピストンチャンバ２４０および２４２内で往復運動する。
【００４５】
図５〜７の第３のコンプレッサの実施形態２２０は、図１〜３の第１のコンプレッサ２０の逆止弁４８，５６および５０，５８、あるいは図４の第２のコンプレッサ１２０の逆止弁１４８，１５６および１５０，１５８ではなく、本体２２２内に、それぞれピストンチャンバ２４０および２４２と連通する、一対のポート２４４および２４６ならびに対応する通路２４８および２５０を有する。通路２４８および２５０は、最終的には、第１の対２５６のポート２５２および２５４（下側のポート）に交互に接続され、かつ第２の対２６２（上側の対）のポート２５８および２６０に交互に接続される。第１の対および第２の対は、以下に説明される回転弁アセンブリ２６４の一部である。
【００４６】
コンプレッサ２０および１２０の場合と同様に、図５〜７の第３のコンプレッサ２２０でも、従動回転シャフト２６６は、従来の方法で回転エネルギーを供給する動力源に接続されている。図４の向きにおいて、従動回転シャフト２６６は、コンプレッサ２２０を垂直方向に通って延びている。典型的には、モータ（図示せず）が回転シャフト２６６を駆動する。コンプレッサ２２０は、回転シャフト２６６が貫通する代表的な基端板２６８を含んでいる。
【００４７】
図５〜７のコンプレッサ２２０において、回転シャフト２６６は、円形偏心体２７０を静止させたまま、コンプレッサ２２０の本体２２２、したがってピストンチャンバ２４０および２４２、ピストン２２６および２２８、ならびにピストンロッド２３０に接続されてそれらを駆動する。（図５〜７の描写においては、偏心体２７０の静止状態を支持および維持するための機械的構造は図示していない。）図１〜３のコンプレッサ２０および図４のコンプレッサ１２０の場合のように、図５〜７のコンプレッサ２２０では、偏心体２７０は、回転シャフト２６６に対して中心を外れている。駆動および接続は、様々な方法で達成することができる。図示の実施形態では、シャフト２６６はキー止めされており、したがってスロット２７２を含んでいる。コンプレッサ２２０の本体２２２には対応するスロット２７４があり、キー２７６がスロット２７２および２７４に挿入されている。シャフト２６６用のニードルローラベアリング２７８が偏心体２７０に設けられており、偏心体２７０を静止させたままシャフト２６６が回転できるようになっている。シャフト２６６用の別のニードルローラベアリング２８０が、静止している基端板２６８に設けられている。
【００４８】
一例として、外側円形リング２８２は、ニードルローラベアリング２８４を介して円形偏心体２７０を取り囲み、これに接続されている。したがって、外側円形リング２８２は、偏心体２７０を回転させずに、ピストンチャンバ２４０および２４２、ピストン２２６および２２８、ならびにピストンロッド２３０と共に回転することができる。
【００４９】
駆動ピン２８６は、外側円形リング２８２上の固定位置で該円形リング２８２と係合し、またピストンロッド２３０とも係合している。駆動ピン２８６がピストンロッド２３０と係合する位置にベアリング２８７がある。ピストンロッド２３０は、スロット開口２８２を有し、そこを通って回転シャフト２６６が延びている。
【００５０】
その結果、シャフト２６６の回転運動がピストンチャンバ２４０および２４２、ピストン２２６および２２８、ならびに駆動ピン２８６が取り付けられたピストンロッド２３０を回転させると、駆動ピン２８６およびピストンロッド２３０が回転シャフト１６６に対して前後に動く。ピストン２２６および２２８は、回転シャフト２６６に対して交互に近接および離間する。従動シャフト２６０の回転運動は、ピストンロッド２３０ならびにピストン２２６および２２８の、ピストンチャンバ２４０および２４２に対する往復運動に変換される。
【００５１】
図５〜７の第３のコンプレッサ２２０において、内側の円形矢印２９０は、シャフト２６６の回転を表し、外側の円形矢印２９２は、ピストンチャンバ２４０および２４２、ピストン２２６および２２８、ならびに駆動ピン２８６が取り付けられたピストンロッド２３０の回転を表し、これらはすべてシャフト２６６によって駆動される。回転弁アセンブリ２６４の文脈で以下に説明されるように、回転方向によって「入力」および「出力」が決定する。したがって、円形矢印２９０および２９２の各々は、２つの矢頭を有している。
【００５２】
回転弁アセンブリ２６４は、弁体２９４と、ポート体２９５と、を含む。弁体２９４は、中実円筒の一般的な形態である。弁体２９４は、コンプレッサ２２０の本体２２２に固定され、それと共に（ピストンチャンバ２４０および２４２、ピストン２２６および２２８、ならびにピストンロッド２３０の回転とともに）回転する。ポート体２９５は、弁体２９４の周りに嵌合する中空円筒の一般的な形態である。ポート体２９５は、静止している。図示の実施形態において、ポート体２９５は、基端板２６８に固定されている。
【００５３】
弁体２９４は、内側の構造用鋼部分２９６と、機械加工されたカーボン製の外側層２９７と、を有する。ポート体２９５は、鋼製とすることができ、同様に、少なくともその内面が機械加工されている。弁体２９４およびポート体２９５は、弁体２９４がポート体２９５内で回転することができると同時に、最小のガス漏れがあるように、精密な交差をもって機械加工されている。
【００５４】
ポート２５２および２５４からなる第１の対２５６（下側の対）は、ポート体２９５の一部である。ポート２５２および２５４からなる第１の対２５６は、適切な取付け具（図示せず）を備えた、好ましくは少なくとも部分的にねじが切られた単純な穿孔とすることができる。外部的には、ポート２５２および２５４は、「Ｙ」接合部（図示せず）において互いに接続されていてもいなくてもよい。ポート２５８および２６０からなる第２の対２６２（上側の対）も同様に、ポート体１９６の一部であり、適切な取付け具（図示せず）を備えた、好ましくは少なくとも部分的にねじが切られた単純な穿孔とすることができる。ポート２５８および２６２は、「Ｙ」接合部（図示せず）において互いに接続されていてもいなくてもよい。図５〜７の第３のコンプレッサ２２０の実施形態において、第１の対２５６および第２の対２６２のポートは、入力および出力が回転方向に依存するため、「入力」および「出力」がラベル付けされていない。
【００５５】
弁体２９４内には、ピストンチャンバ２４０に接続された本体２２２内の通路２４８と直接連通する、第１の通路２９８がある。第２の通路３００は、ピストンチャンバ２４２に接続された本体２２２内の通路２５０と直接連通している。
【００５６】
周方向タイミング溝が設けられており、これは、回転する弁体２９４または静止しているポート体２９５のいずれにあってもよい。図示の実施形態では、下側の周方向溝３０２および３０４が、それぞれ下側のポート２５２および２５４と連通するようにポート体２９５に形成されており、上側の周方向溝３０６および３０８が、それぞれポート２５８および２６０と連通するようにポート体２９５に形成されている。下側の周方向溝３０２および３０４は、回転位置に応じて、通路２９８と（それによって通路２４８と）流体連通するように配置されている。上側の周方向溝３０６および３０８は、同様に回転位置に応じて、通路３００と（それによって通路２５０と）流体連通するように配置されている。
【００５７】
周方向溝３０２，３０４，３０６および３０８は、回転弁アセンブリ２６４のタイミングとみなすことができるもの、すなわち、ピストンチャンバ２４０がポート２５２またはポート２５４と連通する回転位置、ならびにピストンチャンバ２４２がポート２５８またはポート２６０と連通する回転位置を確立する。周方向溝３０２，３０４，３０６および３０８は、それぞれ円周方向に１８０°未満である。上述したように、図示の実施形態では、周方向溝３０２，３０４，３０６および３０８がポート体２９５内にあるが、周方向溝３０２，３０４，３０６および３０８は、弁体２９４内にあってもよい。
【００５８】
作動中、回転シャフト２６６は、順方向または逆方向のいずれかに回転し、該回転方向により、ポート対２５６および２６２のどちらが流体「入力」で、どちらが流体「出力」であるのかが決まる。
【００５９】
図１〜３の第１のコンプレッサ２０の実施形態、図４の第２のコンプレッサの実施形態１２０、および図５〜７の第３のコンプレッサの実施形態２２０において、シャフト６６，１６６または２６６が回転している作動中に、ピストン２６および２８、あるいは１２６および１２８、あるいは２５５および２２８は、交互に回転シャフト６６，１６６，または２６６と接近および離間する。シャフト６６，１６６または２６６の回転運動は、円形偏心体７０，１７０または２７０、外側円形リング８２，１８２または２８２、ならびに駆動ピン８６，１８６または２８６を含む開示の機構によって、ピストンロッド３０，１３０または２３０、ならびにピストン２６および２８，１２６および１２８，または２２６および２８８の、ピストンチャンバ４０および４２，１４０および１４２，または２４０および２４２に対する往復運動に変換される。
【００６０】
ピストン２６，１２６または２２６がピストンチャンバ４０，１４０または２４０内に移動すると、流体は、ピストンチャンバ４０，１４０または２４０から排出される。逆に、ピストン２６，１２６または２２６がピストンチャンバ４０，１４０または２４０から出ると、液体は、ピストンチャンバ４０，１４０または２４０内に引き込まれる。ピストンチャンバ４２，１４２または２４２に関しても、同様の流体ポンピングが生じる。
【００６１】
図１〜３の第１のコンプレッサ２０の実施形態におけるピストンチャンバ４０，１４０または２４０を考察すると、ピストン２６がピストンチャンバ４０内に移動すると、流体は、逆止弁５０および出口ポート４６を通って出てくる。同様に、図４の第２のコンプレッサ１２０の実施形態では、ピストン１２６がピストンチャンバ１４０内に移動すると、流体は、逆止弁１５０および出口ポート１４６を通って出てくる。図５〜７の第３のコンプレッサの実施形態２２０では、流体は、回転弁アセンブリ２６４のポート２５２またはポート２５４のいずれかを通って出てくる。逆に、ピストン２６，１２６または２２６がピストンチャンバ４０，１４０または２４０から出ると、流体は、ピストンチャンバ４０，１４０または２４０内に引き込まれる。図１〜３の第１のコンプレッサ２０の実施形態では、流体は、逆止弁４８および入口ポート４４を通って入る。図４の第２のコンプレッサ１２０の実施形態では、流体は、逆止弁１４８および入口ポート１４４を通って入る。図５〜８の第３のコンプレッサの実施形態２２０では、流体は、回転弁アセンブリ２６４のポート２５２またはポート２５４のいずれかを通って入る。
【００６２】
図１〜３の第１のコンプレッサ２０の実施形態におけるピストンチャンバ４２，１４２または２４２について考察すると、ピストン２８がピストンチャンバ４２内に移動すると、流体は、逆止弁５８および出口ポート５６を通って出てくる。図４の第２のコンプレッサ１２０の実施形態では、ピストン１２８がピストンチャンバ１４２内に移動すると、流体は、逆止弁１５８および出口ポート１５６を通って出てくる。図５〜７の第３のコンプレッサの実施形態２２０では、流体は、回転弁アセンブリ２５４のポート２５６またはポート２６０のいずれかを通って出てくる。逆に、ピストン２８，１２８または２２８がピストンチャンバ４２，１４２または２４２から出ると、流体は、ピストンチャンバ４２，１４２または２５２内に引き込まれる。図１〜３の第１のコンプレッサ２０の実施形態では、流体は、逆止弁５６および入口ポート５４を通って入る。図４の第２のコンプレッサ１２０の実施形態では、流体は、逆止弁１５６および入口ポート１５２を通って入る。図５〜８の第３のコンプレッサの実施形態２２０では、流体は、回転弁アセンブリ２５４のポート２５６またはポート２６０のいずれかを通って入る。
【００６３】
実施形態に応じて、回転シャフト６６，１６６または２６６は、偏心体７０または１７０、あるいはコンプレッサ本体２２２（それによってピストンチャンバ２４０および２４２、ピストン２２６および２２８、ならびにピストンロッド２３０）のいずれかを回転駆動するように接続され得る。
【００６４】
ここで、図８を参照すると、第４のポンプまたはコンプレッサ３２０の実施形態が開示されており、該実施形態は、よりコンパクトであることを除いて図５〜７のコンプレッサ２２０の実施形態と同様である。図８の実施形態では、同様に、円形偏心体は静止したままであるが、ピストンチャンバ、ピストン、およびピストンロッドがすべて回転する。ピストンは、ピストンチャンバに対して、その中で往復運動する。
【００６５】
簡単に説明すると、図８を参照して、本発明を具体化する第４のポンプまたはコンプレッサ３２０は、概して３２２で示される本体を有し、ピストン３２６および３２６からなる１つのピストン対３２４を含む。ピストン３２６および３２８は、ピストン３２６および３２８によるもの以外に、ベアリングまたは他の支持体を有しない、一体型のピストンロッド３３０の両端に取り付けられている。ピストン３２６および３２８は、シーリングおよびセンタリングを提供する、それぞれのピストンヘッド３３２および３３４を有する。図示の実施形態において、ピストンヘッド３３２および３３４は、機械ねじ３３６および３３８によって固定されている。ピストン３２６および３２８は、それぞれ個別のピストンチャンバ３４０および３４２内で往復運動する。
【００６６】
一対のポート３４４および３４６、ならびに対応する通路３４８および３５０が、それぞれのピストンチャンバ３４０および３４２と連通するように本体３２２内に形成されている。通路３４８および３５０は、最終的には、第１の対２５６のポート３５３および３５４（下側のポート）に交互に接続され、かつ第２の対２６２（上側の対）のポート３５８および３６０に交互に接続される。第１の対および第２の対は、回転弁アセンブリ３６４の一部である。
【００６７】
従動回転シャフト３６６は、回転エネルギーを供給する動力源に接続されている。典型的には、モータ（図示せず）が、基端板３６８を通って延びる回転シャフト３６６を駆動する。
【００６８】
回転シャフト３６６は、円形偏心体３７０を静止させたまま、コンプレッサ３２０本体、したがって、ピストンチャンバ３４０および３４２、ピストン３２６および３２８、ならびにピストンロッド３３０に接続されてそれらを駆動する。偏心体３７０は、回転シャフト３６６に対して中心を外れている。シャフト３６６は、キー止めされており、したがってスロット３７２を含む。対応するスロット３７４がコンプレッサ３２０の本体３２２に設けられており、キー３７６がスロット３７２および３７４に挿入されている。シャフト３６６用のニードルローラベアリング３７８が偏心体３７０に設けられており、偏心体３７０を静止させたままシャフト３６６が回転できるようになっている。シャフト３６６用の別のニードルローラベアリング３８０が、静止している基端板３６８に設けられている。
【００６９】
外側円形リング３８２は、ニードルローラベアリング３８４を介して円形偏心体３７０を取り囲み、それに接続されている。したがって、外側円形リング３８２は、偏心体２７０を回転させずに、ピストンチャンバ３４０および３４２、ピストン３２６および３２８、ならびにピストンロッド３３０と共に回転することができる。
【００７０】
駆動ピン３８６は、外側円形リング３８２上の固定位置で該円形リング３８２と係合し、またピストンロッド３３０とも係合している。駆動ピン３８６がピストンロッド３３０と係合する位置にベアリング３８７が設けられている。ピストンロッド３３０は、開口３８２を有し、そこを通って回転シャフト３６６が延びている。
【００７１】
回転弁アセンブリ３６４は、弁体３９４と、ポート体３９５と、を含む。弁体３９４は、中実円筒の一般的な形態である。図８のコンプレッサ３２０の実施形態では、弁体３９４は、コンプレッサ３２０の本体３２２と共に（ピストンチャンバ３４０および３４２、ピストン３２６および３２８、ならびにピストンロッド３３０の回転とともに）回転する。ポート体３９５は、弁体３９４の周りに嵌合する中空円筒の一般的な形態である。ポート体３９５は、静止している。図示の実施形態において、ポート体３９５は、基端板３６８に固定されている。弁体３９４は、内側の構造用鋼部分３９６と、機械加工されたカーボン製の外側層３９７と、を有する。
【００７２】
さらに図８を参照すると、ポート３５２および３５４の第１の対３５６（下側の対）は、ポート体３９５の一部であり、適切な取付け具（図示せず）を備えた、少なくとも部分的にねじが切られた単純な穿孔とすることができる。外部的には、ポート３５２および３５４は、「Ｙ」接合部（図示せず）において互いに接続されていてもいなくてもよい。ポート３５８および３６０の第２の対３６２（上側の対）も同様に、ポート体３９５の一部であり、適切な取付け具（図示せず）を備えた、好ましくは少なくとも部分的にねじが切られた単純な穿孔とすることができる。ポート３５８および３６０は、「Ｙ」接合部（図示せず）において互いに接続されていてもいなくてもよい。
【００７３】
弁体３９４内には、ピストンチャンバ３４０に接続された本体３２２内の通路３４８と直接連通する、第１の通路３９８がある。第２の通路４００は、ピストンチャンバ３４２に接続された本体３２２内の通路３５０と直接連通している。周方向タイミング溝が設けられており、これは先の実施形態と同様に、回転する弁体３９４または静止しているポート体３９５のいずれにあってもよい。図示の実施形態では、下側の周方向溝４０２および４０４が、それぞれ下側のポート３５２および３５４と連通するようにポート体３９５に形成されており、上側の周方向溝４０６および４０８が、それぞれポート３５８および３６０と連通するようにポート体３９５に形成されている。下側の周方向溝４０２および４０４は、回転位置に応じて、通路３９８と（それによって通路３４８と）流体連通するように配置されている。上側の周方向溝４０６および４０８は、同様に回転位置に応じて、通路４００と（それによって通路３５０と）流体連通するように配置されている。
【００７４】
ここで、図９を参照すると、図５〜７の第３のコンプレッサ２２０の実施形態を元にした、第５のポンプまたはコンプレッサ４２０の実施形態の分解図が示されている。図９の実施形態でも同様に、円形偏心体を静止させたまま、ピストンチャンバ、ピストン、およびピストンロッドがすべて回転する。ピストンは、ピストンチャンバに対して往復運動する。
【００７５】
簡単に説明すると、本発明を具体化した第５のポンプまたはコンプレッサ４２０は、一対の固定端部片４２２および４２３を有し、平板の形態をとるピストン４２６および４２６からなる１つのピストン対４２４を含む。ピストン４２６および４２８は、該ピストン４２６および４２８によるもの以外にベアリングまたは他の支持体を有しない、一体型のピストンロッド４３０の両端に取り付けられている。ピストン４２６および４２８は、機械ねじ４３７によって回転板４３６に固定されたそれぞれ個別のピストンチャンバ４３２および４３４内で往復運動する。ピストン４２６および４２８はまた、それぞれのピストンヘッドまたはシールを有しているが、説明を明確にするために図９からは省略している。回転板４３６は、固定端部片４２２（図９の向きでは右側）のキャビティ４３８内に収容されており、回転板４３６と固定端部片４２２との間には、非回転の円形カーボンガスケット４３９がある。回転板４３６をカーボンガスケット４３９および端部片４２２に対して押圧するために、ばね（図示せず）を使用することができる。
【００７６】
ピストンチャンバ４３２および４３４は、単純な開口の形態であるそれぞれのポート４４０および４４２を有し、これらのポートは、回転板４３６のそれぞれ対応するポートまたは開口４４４および４４６と整列している。シールを提供するために、ゴム製の「Ｏ」リング４４８および４５０を使用することができる。回転板４３６のポートまたは開口４４４および４４６は、カーボンガスケット４３９の周方向チャネル４５２および４５４と連通して回転弁４５６を形成する。ポート４５８および４６０（破線で示す）は、それぞれの周方向チャネル４５２および４５４と流体連通するように固定端部片４２２に形成されている。
【００７７】
遠位端４６７を有する従動回転シャフト４６６は、回転エネルギーを供給する動力源に接続されている。典型的には、モータ（図示せず）が回転シャフト４６６を駆動する。回転シャフト４６６は、固定端部板４２２を貫通し、ベアリング４６８によって支持されており、回転板４３６を回転駆動する。ベアリング４６８は、端部片４２２内の凹部（図示せず）内に嵌合するローラベアリングとすることができる。シャフト４６６の遠位端４６７は、別のローラベアリング４７０を有する固定端部片４２３の開口４６９を貫通する。シャフト４６６はキー止めされており、したがってスロット４７１を含む。回転板４３６に対応するスロット４７２が設けられており、キー４７４がスロット４７１および４７２に挿入されている。回転シャフト４６６は、コンプレッサ４２０の中心線４７６を確立するものとして見ることができ、この中心線４７６は、図９の分解図において軸線４７６で表されている。
【００７８】
回転シャフト４６６は、回転板４３６を駆動することによって、ピストンチャンバ４４０および４４２、ピストン４２６および４２８、ならびにピストンロッド４３０も回転駆動する。
【００７９】
固定端部片４２３（図９の向きで左側）に取り付けられているのは、軸線４７６に対して中心を外れた固定円形偏心体４８０である。円形偏心体４８０は、開口台座４８１を有し、作動中は静止している。
【００８０】
外側円形リング４８２は、ニードルローラベアリング４８４を介して円形偏心体４８０を取り囲み、これに接続されている。したがって、偏心体４８０は回転しないが、外側円形リング４８２は、ピストンチャンバ４４０および４４２、ピストン４２６および４２８、ならびにピストンロッド４３０と共に回転することができる。
【００８１】
駆動ピン４８６は、外側円形リング４８２上の固定位置４８８で該外側円形リング４８２と係合し、また、ピストンロッド４３０とも係合している。駆動ピン４８６がピストンロッドと係合する位置に、ベアリング４８６ａが設けられている。ピストンロッド４３０の往復運動に適応するために、ピストンロッド４３０は、回転シャフト４６６が貫通するスロット開口４９２を有する。
【００８２】
最後に、図１０〜１４を参照すると、第６のポンプまたはコンプレッサ５２０の実施形態が開示されている。ポンプまたはコンプレッサ５２０は、１つのピストン対の代わりに、２つのピストン対がある点で、上述のポンプまたはコンプレッサとは異なっている。図１０〜１４の実施形態では、円形偏心体は静止したままであるが、ピストンチャンバ、ピストン、およびピストンロッドがすべて回転する。しかしながら、本発明は、ピストンチャンバ、２つのピストン対、および２つのピストンロッドがすべて回転しないポンプまたはコンプレッサにおいても実施することができる。さらに、３つ以上のピストン対を設けることもできる。図９には１つのピストン対しかないが図１０には２つのピストン対がある点を除いては、図１０は図９と同様である。
【００８３】
簡単に言えば、本発明を具体化する図１０〜１４の第６のポンプまたはコンプレッサは、一対の固定端部片５２２および４２３を有し、ピストン５２５および５２６からなる第１のピストン対５２４、ならびにピストン５２８および５２９からなる第２のピストン対５２７を含む。ピストン５２５，５２６，５２８および５２９は、平板の形態をとっている。第１の対５２４のピストン５２５および５２６は、該ピストン５２５および５２６によるもののほかには、ベアリングまたは他の支持体を有しない、一体型の第１のピストンロッド５３０の両端に取り付けられている。第２の対５２７のピストン５２８および５２９は、同様にピストン５２８および５２９によるもののほかにはベアリングまたは他の支持体を有しない、一体型の第２のピストンロッド５３１の両端に取り付けられている。ピストン５２５および５２６は、それぞれ個別のピストンチャンバ５３２および５３３内で往復運動し、ピストン５２８および５２９は、それぞれ個別のピストンチャンバ５３４および５３５内で往復運動する。ピストンロッド５３０および５３１は、（幅が）細長い「Ｕ」字形であり、ピストン５２５，５２６，５２８および５２９が同一平面内にあり、かつピストンチャンバ５３２，５３３，５３４および５３５もまた同一平面内にあるように、やや入れ子状に互いに向き合っており、全体構造がコンパクトになっている。ピストンチャンバ５３２，５３３，５３４および５３５は、機械ねじ５３７によって回転板５３６に固定されている。ピストン５２５，５２６，５２８および５２９は、それぞれのピストンヘッドまたはシール（図を明確にするために、図１１〜１５からは省略されている）を有する。回転板５３６は、固定端部片５２２（図１０の向きで右側）のキャビティ５３８内に収容されており、回転板５３６と固定端部片５２２との間に、非回転の円形カーボンガスケット５３８がある。回転板５３６をカーボンガスケット５３９および端部片５２２に対して押圧するために、ばね（図示せず）を使用することができる。
【００８４】
ピストンチャンバ５３２および５３４は、単純な開口の形態であるそれぞれのポート５４０および５４１を有し、これらのポートは、回転板５３６のそれぞれ対応するポートまたは開口５４４および５４５と整列している。同様に、ピストンチャンバ５３４および５３５は、単純な開口の形態であるそれぞれのポート５４０および５４１を有し、これらのポートは、回転板５３６のそれぞれ対応するポートまたは開口５４６および５４７と整列している。シールを提供するために、ゴム製の「Ｏ」リング５４８，５４９および５５０，５５１を使用することができる。回転板５３６のポートまたは開口５４４，５４５，５４６および５４７は、カーボンガスケット５３９の周方向チャネル５５２および５５４と連通して回転弁５５６を形成する。ポート５５８および５６０（破線で示す）は、それぞれの周方向チャネル５５２および５５４と流体連通するように固定端部片５２２に形成されている。
【００８５】
遠位端４６７を有する従動回転シャフト５６６は、回転エネルギーを供給する動力源に接続されている。回転シャフト５６６は、固定端部板５２２を貫通し、ベアリング５６８によって支持されており、回転板５３６を回転駆動する。ベアリング５６８は、端部片５２２内の凹部（図示せず）内に嵌合するローラベアリングとすることができる。シャフト５６６の遠位端５６７は、別のローラベアリング５７０を有する固定端部片５２３の開口５６９を貫通する。シャフト５６６はキー止めされており、したがってスロット５７１を含む。対応するスロット５７２が回転板５３６に設けられており、キー５７４がスロット５７１および５７２に挿入されている。回転シャフト５６６は、コンプレッサ５２０の中心線５７６を確立するものとして見ることができ、この中心線５７６は、図１１の分解図において軸線５７６で表されている。
【００８６】
回転シャフト５６６は、回転板５３６を駆動することによって、ピストンチャンバ５４０，５４２および５３４，５３５、ピストン５２６，５２６および５２８，５２９、ならびにピストンロッド５３０および５３１も回転駆動する。
【００８７】
固定端部片５２３に取り付けられているのは、軸線５７８に対して中心を外れた固定円形偏心体５８０である。円形偏心体５８０は、開口台座５８１を有し、動作中は静止している。
【００８８】
外側円形リング５８２は、ニードルローラベアリング５８４を介して円形偏心体５８０を取り囲み、これに接続されている。したがって、外側円形リング５８２は、偏心体５８０を回転させずに、ピストンチャンバ５３２，５３３および５３４，５３５、ピストン５２５，５２６および５２８，５２９、ならびにピストンロッド５３０および５３１と共に回転することができる。
【００８９】
第１の駆動ピン５８６は、外側円形リング５８２上の固定位置５８８で該外側円形リング５８２と係合し、またピストンロッド５３０とも係合している。第１の駆動ピン５８６がピストンロッド５３０と係合する位置に、ベアリング５８６ａが設けられている。同様に、第２の駆動ピン５８７は、外側円形リング５８２上の別の固定位置５９０で該外側円形リング５８２と係合し、また第２のピストンロッド５３１とも係合している。第２の駆動ピン５８７がピストンロッド５３１と係合する位置に、ベアリング５８７ａが設けられている。第１および第２のピストンロッド５３１および５３２の往復運動に適応するために、第１のピストンロッド５３０は、回転シャフト５６６が貫通するスロット開口５９２を有し、第２のピストンロッド５３１は、回転シャフト５６６が貫通するスロット開口５９４を有する。
【００９０】
［産業上の利用可能性］
本発明を利用することができる方法、およびそれを製造し使用することができる方法は、上記から明らかであろう。
【図１】
2020504261.tif 000003
【図２】
2020504261.tif 000004
【図３】
2020504261.tif 000005
【図４】
2020504261.tif 000006
【図５】
2020504261.tif 000007
【図６】
2020504261.tif 000008
【図７】
2020504261.tif 000009
【図８】
2020504261.tif 000010
【図９】
2020504261.tif 000011
【図１０】
2020504261.tif 000012
【図１１】
2020504261.tif 000013
【図１２】
2020504261.tif 000014
【図１３】
2020504261.tif 000015
【図１４】
2020504261.tif 000016
【国際調査報告】
2020504261.tif 000017
2020504261.tif 000018
2020504261.tif 000019